(57)【特許請求の範囲】
【請求項１】
搬送ライン上で一定の姿勢を維持したまま被塗装品を送って塗装する塗装方法において、
スプレーガンの噴射方向を、被塗装品の塗装面に対して、被塗装品の進行方向に交差する方向に、角度調整可能に傾斜させることにより、噴霧パターンが、被塗装品の進行方向に比して進行方向に交差する方向に広がるようにするとともに、スプレーガンと塗布面との距離が離れるほど色彩が淡くなるようにしたことを特徴とする塗装方法。
【請求項２】
スプレーガンを、被塗装品の進行方向に交差するように複数並列させ、
該複数のスプレーガンから噴霧される塗料が部分的に混合されるように配置して、複数の色彩とそれらの混合比によって決まる混合色によって形成された縞模様を発現させるようにしたことを特徴とする請求項１記載の塗装方法。
【請求項３】
請求項１記載の塗装方法により塗装され、
単色で形成されている部分の色彩模様であって、色彩が模様の周辺にいくに従って、徐々に淡くなっている色彩模様が塗装されていることを特徴とする塗装品。
【請求項４】
請求項２記載の塗装方法により塗装され、
複数の色彩と、色彩間の混合色が並列してなる色彩の縞模様であって、
隣り合う色彩が相互に混ざり合う縞模様が塗装されていることを特徴とする塗装品。
【発明の詳細な説明】
【技術分野】
【０００１】
本発明は、塗装品、とくにコンパクト容器の蓋体、ブローボトル、その他合成樹脂成形品の塗装方法と塗装品に関するものである。
【背景技術】
【０００２】
多色塗装方法として、被塗装物の進行方向に沿って色の異なる塗料を噴射するスプレーガンを配設し、塗料を同時に噴射して、前後のスプレーガンの塗料で混合された部分を形成し、濃淡の混合色の粒を生成するように塗装することは、従来より知られている（特許文献１参照）。
【０００３】
また、異なる色の塗料を噴射する複数のスプレーガンを、被塗装物の搬送方向と直交する方向に往復移動させながら各スプレーガンを間欠的にオン、オフして、異なる色の塗料を間欠的に噴霧して、多色ぼかし模様を塗布するようにした多色塗装方法も、従来より知られている（特許文献２参照）。
【特許文献１】特開平７−３０８６２９号公報
【特許文献２】特開平９−２９１４６号公報
【発明の開示】
【発明が解決しようとする課題】
【０００４】
しかしながら、特許文献１記載の方法は、複数の塗料を干渉させつつ混合色を塗布するため、所望の濃淡色彩に調節することが難しいという問題があった。
【０００５】
特許文献２記載の方法では、塗布装置の複雑化、大型化という問題があった。
【０００６】
本発明は、上記問題を解決することを課題として、第１には、簡単な装置によって一つの色彩の濃淡を発現するようにした塗装方法と、塗装品を提供すること、第２には、被塗装品を多色で塗装し、異なる色が重なり合う部分では、混合色が発現されるとともに、隣り合う色彩が相互に混ざり合い、境界がぼかされるよう塗装する多色塗装方法と、塗装品を提供することを目的とする。
【課題を解決するための手段】
【０００７】
本発明は、上記の課題を解決するため、塗装方法として、搬送ライン上で一定の姿勢を維持したまま被塗装品を送って塗装する塗装方法において、スプレーガンの噴射方向を、被塗装品の塗装面に対して、被塗装品の進行方向に交差する方向に、角度調整可能に傾斜させることにより、噴霧パターンが、被塗装品の進行方向に比して進行方向に交差する方向に広がるようにするとともに、スプレーガンと塗布面との距離が離れるほど色彩が淡くなるようにしたことを特徴とする構成を採用する。
【０００８】
塗装方法の別実施例として、スプレーガンを、被塗装品の進行方向に交差するように複数並列させ、該複数のスプレーガンから噴霧される塗料が部分的に混合されるように配置して、複数の色彩とそれらの混合比によって決まる混合色によって形成された縞模様を発現させるようにしたことを特徴とする構成を採用する。
【０００９】
塗装品として、単色で形成されている部分の色彩模様であって、色彩が模様の周辺にいくに従って、徐々に淡くなっている色彩模様が塗装されていることを特徴とする構成を採用する。
【００１０】
塗装品の別実施例として、複数の色彩と、色彩間の混合色が並列してなる色彩の縞模様であって、隣り合う色彩が相互に混ざり合う縞模様が塗装されていることを特徴とする構成を採用する。
【発明の効果】
【００１１】
単一の噴霧パターンを、被塗装品の進行方向に交差する方向に広がるように形成させているので、スプレーガンと被塗装品との距離が離れるにしたがい、徐々に淡くなる色彩の濃淡模様を容易に得ることができる。
【００１２】
被塗装品の進行方向に交差するように、複数のスプレーガンを配設しているので、多色の並列した色彩の縞模様を得ることができ、さらに、噴霧される塗料が、部分的に混合されるようにスプレーガンを配置すると、複数の色彩と混合色によって形成され、隣り合う色彩が相互に混ざり合う濃淡のある色彩の縞模様を得ることができる。
【００１３】
また、スプレーガンが、被塗装品の進行方向に交差するよう配列されているから、重ね塗りをしなくても多色の色彩による縞模様が得られ、塗料を節減することができた。
【発明を実施するための最良の形態】
【００１４】
次に、本発明の塗装方法と塗装品について、実施例をあげて説明する。
【実施例１】
【００１５】
第１実施例は、色彩の濃淡を発現させる塗装方法と塗装品に係るものである。
まず、各実施例に共通する塗装装置について説明する。
【００１６】
図１は、塗装装置の一例を示すもので、Ａは被塗装品、Ｂは搬送ライン、Ｃ１、Ｃ２はスプレーガン、Ｄ１、Ｄ２は塗料の噴射方向である。
【００１７】
スプレーガンＣ１、Ｃ２は、搬送ラインＢに交差するように配設され、被塗装品Ａを搬送ラインＢにより矢印の方向に移動させ、被塗装品Ａの表面１に、塗料を噴霧して塗装する。
スプレーガンＣ１、Ｃ２の噴射による各噴霧パターンＰ１、Ｐ２は、好ましくは、搬送ラインＢに交差する方向に広がるように形成されている。
【００１８】
スプレーガンは複数個配置し、特定のスプレーガンのみを使用することができる。
また、噴射方向を調整したり、上下位置や被塗装品に対する噴霧角度等を調整することも可能となっている。
【００１９】
被塗装品Ａとして、コンパクトの蓋体、箱体状容器の各側面とその蓋、その他板状の合成樹脂製成形体が、さらには、ブロー成形ボトルや筒状の成形体も利用できる。
【００２０】
図２に示すように、スプレーガンとして、スプレーガンＣ１のみを使用して所望する色彩の塗料２を、噴射方向Ｄ１を搬送ラインＢの側端側に向かうように傾斜させて、噴霧パターンＰ１を塗装品Ａの表面１全体、または一部に広がるように噴霧する。
【００２１】
その際、例えば図２のａ点に噴霧される単位面積あたり塗料量は、スプレーガンＣ１の直下より少なくなるので、塗装品Ａの表面１に塗布される塗料は、スプレーガンＣ１の直下から離れるにしたがって少なくなり、塗装される色彩は淡くなり、図２（ｂ）に示すように、単色の色彩の濃淡模様２ａが発現される。
【００２２】
上記実施例では、スプレーガンＣ１を塗装品Ａの端部において、噴射方向Ｄ１を傾斜させたが、スプレーガンＣ１を塗装品Ａの中心線上に配置し、噴射方向Ｄ１を直下方向にすると、スプレーガンＣ１直下は濃く、左右に対称的に淡くなっていく色彩の濃淡模様を得ることができる。  
また、上記操作を、例えば色を変更して複数回行ってもよい。
【実施例２】
【００２３】
次に、２色と、混合色との色彩による縞模様の塗装方法について説明する。
【００２４】
図３（ａ）に示すように、スプレーガンＣ１、Ｃ２は、搬送ラインＢに直交する線上に並置され、それぞれのスプレーガンＣ１、Ｃ２は、異なる色の塗料３、４を噴霧し、噴霧パターンＰ１、Ｐ２の交差する部分５では、塗料３と塗料４が混じり合い、混合色が塗装されることになる。
【００２５】
いま、塗料３を黒色のベース色３ａとし、塗料４を金属粉末を混入させた黒の装飾色４ａとすると、噴霧パターンＰ１、Ｐ２の交差する部分５では、塗料３と塗料４が混合して混合色５ａが発現されるが、混合色５ａの色合いは、塗料３、４の混合比によって決定され、装飾色４ａ側に近づくとともに徐々に装飾色４ａが濃くなり、噴霧パターンＰ１、Ｐ２の交差部分５をすぎると装飾色４ａ一色となる。
【００２６】
塗布面は、黒色のベース色３ａ、混合色５ａ、装飾色４ａが帯状に並列され、黒色をベースとして、金属粉末による光輝が自然に多くなっていくような塗布面を得ることができ、さらに、隣り合うベース色３ａと混合色５ａ、混合色５ａと装飾色４ａの間では、それぞれの色彩が混ざり合い、境界がぼかされたような縞模様となっている。
【実施例３】
【００２７】
次に、多色彩による縞模様の塗装方法について説明する。
図４（ａ）に示すように、塗布装置として、三つのスプレーガンＣ１、Ｃ２、Ｃ３が、被塗装品Ａの進行方向に直交するように配列された装置が使用される。
各スプレーガンＣ１、Ｃ２、Ｃ３は、それぞれ塗料６、７、８を噴霧し、スプレーガンの噴霧パターンＰ１、Ｐ２、Ｐ３の間で隣り合う噴霧パターンＰ１、Ｐ２が交差部分９を、噴霧パターンＰ２、Ｐ３が交差部分１０を形成するように、一定の間隔をもって配列されている。
【００２８】
塗装される色彩模様は、図４（ｂ）に示すように、各スプレーガンの塗料色６ａ、７ａ、８ａと、隣り合うスプレーガンの塗料の混合色９ａ、１０ａが並列し、隣り合う色彩の間がぼかされた縞模様である。
【００２９】
色彩の巾は、スプレーガンの位置を調整することによって変更することができ、混合色をなくすこともできる。
また、スプレーガンの数を増減することによって、色彩の数を変更することもできる。
【００３０】
いま、スプレーガンＣ１が赤色、スプレーガンＣ２が黄色、スプレーガンＣ３が青色の塗料を噴霧するようにすると、噴霧の交差する部分では、双方の塗料が混合して中間色が塗装されることになり、被塗装品Ａの表面には、赤色、橙色、黄色、緑色、青色が並列した塗装面が得られる。
【実施例４】
【００３１】
次に、筒状体に対する塗装方法について説明する。
本実施例は、第１実施例の方法を、筒状体の塗装に適用したもので、図５において、Ａａは円筒状の被塗装品で、被塗装品Ａａを搬送ラインＢに載せ、スプレーガンＣ１から塗料を噴霧すると、円筒体の表面には、軸方向に延び、中央は濃く、周辺にいくほど淡くなる色彩の濃淡模様１６を得ることができる。
【００３２】
また、前記実施例４では、横倒状態の円筒体に塗装を施したが、正立状態、或いは倒立状態の円筒体に塗装を施すこともできる。
この場合、周方向の一部に装飾効果を施すことができる。
さらに、スプレーガンの配置数、配置位置等は、被塗装品の形状、サイズ等により適宜に設定することができる。
【００３３】
また、二つのスプレーガンＣ１、Ｃ２を用いて、噴射方向を調節し、それぞれの噴霧パターンが交差するようにすると、２色と混合色との縞模様を得ることができる。
【００３４】
前記各実施例では、スプレーガンを搬送ラインの進行方向に直交するように配列して固定したが、進行方向に斜交するように配列してもよい。
また、目的とする装飾に応じて、任意の位置に、ランダムに配置してもよい。
【００３５】
また前記各実施例において、スプレーガンを、塗装面の進行方向に交差する方向に周期的に往復動させると、波形の色彩模様を得ることができる。
さらにまた、噴霧を間欠的に行うと、色彩模様が間欠的に発現する模様を得ることもできる。
【００３６】
前記各実施例では、平面状、または円筒面上に塗装するようにしているが、塗装面は、突条、凹溝その他の凹凸模様を有する面であってもよい。
【産業上の利用可能性】
【００３７】
本発明の塗装方法は、単色の濃淡模様、または、多色の並列した色彩による縞模様を得ることができ、コンパクト容器、化粧料容器、ブロー成形ボトル等プラスチック成形体の加飾を始め、建築材、その他一般物品の塗装にも利用できる。
【図面の簡単な説明】
【００３８】
【図１】本発明の塗装装置の概略説明図である。
【図２】第１実施例の塗装方法の説明図で、（ａ）は塗装方法、（ｂ）は塗装品の平面説明図である。
【図３】第２実施例の塗装方法の説明図で、（ａ）は塗装方法、（ｂ）は塗装品の平面説明図である。
【図４】第３実施例の塗装方法の説明図で、（ａ）は塗装方法、（ｂ）は塗装品の平面説明図である。
【図５】第４実施例の塗装方法の説明図で、（ａ）は塗装方法、（ｂ）は塗装品の平面説明図である。
【符号の説明】
【００３９】
Ａ、Ａａ                被塗装品
Ｂ                      搬送ライン
Ｃ１、Ｃ２、Ｃ３        スプレーガン
Ｄ１、Ｄ２、Ｄ３        噴射方向
Ｐ１、Ｐ２、Ｐ３        噴霧パターン
１                      表面
２、３、４、６、７、８  塗料
２ａ、１６              濃淡模様
３ａ                    ベース色
４ａ                    装飾色
５、９、１０            交差部分
５ａ、９ａ、１０ａ      混合色
６ａ、７ａ、８ａ        塗料色
１５                    円筒表面
【図１】
0004804723.tif 000002
【図２】
0004804723.tif 000003
【図３】
0004804723.tif 000004
【図４】
0004804723.tif 000005
【図５】
0004804723.tif 000006